(57)【要約】      （修正有）【課題】コードをステップルで固定するとき、板にステップルを装着圧着保持し、ステップルを直接親指と人差し指で挟み持たないで、コードを簡単に楽に素早く正確に固定するステップルホルダーを提供する。【解決手段】板１にステップル４を装着圧着保持する通し穴２を複数設け、通し穴２の周囲にステップル４の大きさに合わせ、装着圧着保持する縦溝３を複数設ける。【選択図】図１
2005168273.tif 000002
【特許請求の範囲】
【請求項１】
（Ａ）板（１）に通し穴（２）と十字型（７）の通し穴（２）と一部（９）の通し穴（２）を複数設ける。
（Ｂ）板（１）の通し穴（２）と十字型（７）の通し穴（２）の内側周囲に縦溝（３）を複数設ける。
（Ｃ）板（１）に印す記号の文字、大、中、小（８）を複数設ける。
（Ｄ）板（１）にキレ目（６）を複数設ける。
（Ｅ）板（１）に取っ手（５）を設ける。
以上の如く講成された、請求項１のステップルホルダー。
【請求項２】
（Ｆ）請求項１のステップルホルダーの複数の通し穴（２）と複数の十字型（７）の通し穴（２）と一部（９）の通し穴（２）にステップル（４）を装着圧着保持して設けたステップルつきのステップルホルダーである。
以上の如く講成された、請求項１、請求項２のステップルホルダーとステップル（４）から成るステップルホルダーである。
【発明の詳細な説明】
【発明の詳細な発明】
【技術分野】
【０００１】  この発明は、ステップルホルダーにステップル（４）を装着圧着保持してコードを楽に固定するステップルホルダーに関するものである。
【背景技術】
【０００２】  従来、ステップル（４）自体が小さすぎて、親指と人差し指で、挟み、つまみ持つと、親指と人差し指の中に半分以上埋もれ隠れてしまい、正常な取り扱いが出来ず、ステップル（４）をコードの上から打ち止める時、ハンマーでステップル（４）の頭部を何度も打ち損ない、ステップル（４）の頭部とは関係ない手指まで打ったり、一回で正確にコードの固定する取り付け作業がスムーズに押し進める事が出来ない欠点があった。
【発明が解決しようとする課題】
本発明は、その欠点を解決するために、ステップル（４）でコードを固定するとき、ステップル（４）を、直接親指と人差し指で挟み、つまみ持たないでハンマーでステップル（４）の頭部を正確に叩ける。今まで、ハンマーでステップル（４）の頭部を何度も打ち損ない、ステップル（４）の頭部とは関係ない手指まで打ったりしていた。
以上の欠点が無くなり、ステップル（４）取り扱い作業がいとも簡単に楽に素早く正確に行える事を目的に開発したものである。
【課題を解決するための手段】
【０００４】  いま、その講成を説明すると、
（Ａ）板（１）に通し穴（２）と十字型（７）の通し穴（２）と一部（９）の通し穴（２）を複数設ける。
（Ｂ）板（１）の通し穴（２）と十字型（７）の通し穴（２）と一部（９）の通し穴（２）の内側周囲に縦溝（３）を複数設ける。
（Ｃ）板（１）に印す記号の文字、大、中、小（８）を複数設ける。
（Ｄ）板（１）にキレ目（６）を複数設ける。
（Ｅ）板（１）に取っ手（５）を設ける。
（Ｆ）請求項１のステップルホルダーの通し穴（２）と十字型（７）の通し穴（２）と一部（９）の通し穴（２）にステップル（４）を装着圧着保持して設けたステップルつきステップルホルダーである。
【発明の実施形態】
【０００５】  本発明はの実施形態を図面をもって説明する。
（１）第１例。  板（１）に、ステップル（４）を装着圧着保持する複数の通し穴（２）と複数の十字型（７）の通し穴（２）と一部（９）の通し穴（９）を、横の列に設けた板（１）、図１、図３、図４と、縦の列に設けた、図２、図５、図６の板（１）に複数設け、通し穴（２）と十字型（７）の通し穴（２）と一部（９）の通し穴（２）の内側周囲にステップル（４）の大きさに合わせ装着圧着保持する縦溝（３）を複数設ける。
（２）さらに取り扱う取っ手（５）を設け、そして、ステップル（４）が縦と横に装着圧着保持する複数の通し穴（２）と、複数の十字型（７）の通し穴（２）と、複数の一部（９）の通し穴（２）に、ステップル（４）を複数装着圧着保持する。
（３）通し穴（２）と十字型（７）通し穴（２）と一部（９）の通し穴（２）には、ステップル（４）の各大きさの種類のステップル（４）を、各、通し穴（２）と、各、十字型（７）の通し穴（２）と、各、一部（９）の通し穴（２）に、それぞれの大きさの種類の、各一つを装着圧着保持する。
（４）コードを固定するとき、本発明のステップルホルダーに、ステップル（４）を装着圧着保持した物と、ステップルホルダーにステップルを（４）装着圧着保持してあるいずれかのステップルホルダーの取っ手（５）を持ち、ステップル（４）がコードの上をまたぐようにステップルホルダーについている折れ曲がるキレ目（６）で角度を調整してあてがい、ハンマーでステップル（４）の頭部を打ち、ちょうど良いところでステップル（４）からステップルホルダーを抜き取り外す事ができる。
【０００６】（５）第２例。  板（１）に縦溝（３）を設けてあるものと、大、中、小（８）の指定する誘導文字がついている（１）板に、通し穴（２）の幅、長さ、深さはステップル（４）の大きさの規格に合わせてステップル（４）の尖った先が通し穴（２）から少し出るくらいにし、ステップル（４）が、図１、図２、図３、図４、図５、図６の通し穴（２）と一部（９）の通し穴（２）と、図３、図６の十字型（７）の通し穴（２）の中に、一個しか入らないステップル（４）を装着圧着保持する。そして、通し穴（２）と十字型（７）の通し穴（２）と一部（９）の通し穴（２）の大きさは限定しない。
そして、装着圧着保持する一個しか入らない大きさの通し穴（２）と十字型（７）の通し穴（２）と一部（９）の通し穴（２）を板（１）に、縦の列と、横の列に、複数設けても限定しない。通し穴（２）と十字型（７）の通し穴（２）の大きさは限定しない。
（６）板（１）に、通し穴（２）と一部（９）の通し穴（２）を設け、ステップル（４）が一個しか入らない装着圧着保持する一個専用する大きさの通し穴（２）と一部（９）の通し穴（２）を縦に複数設ける。そして、通し穴（２）と十字型（７）の通し穴（２）と一部（９）の通し穴（２）の大きさは限定しない。
（７）板（１）に、通し穴（２）を設け、ステップル（４）が一個しか入らない装着圧着保持する一個専用する大きさの通し穴（２）を横に複数設けても限定しない。
（８）板（１）に、十字型（７）の通し穴（２）と一部（９）の通し穴（２）を複数設け、ステップル（４）が一個しか入らない装着圧着保持できる一個専用する大きさの十字型（７）の通し穴（２）と一部（９）の通し穴（２）を縦に複数、横に複数設けても限定しない。通し穴（２）と十字型（７）と一部（９）の通し穴（２）の通し穴（２）の大きさは限定しない。
（９）〔（５）、（６）、（７）、（８）〕項の板（１）の通し穴（２）と十字型（７）の通し穴（２）と一部（９）の通し穴（２）にステップルを複数装着圧着保持して設けたステップルホルダーである。
【０００７】（１０）板（１）に大中小の文字を設けてあるのは、ステップル（４）の大きさ、大、中、小を、通し穴（２）と十字型（７）と一部（９）の通し穴（２）の縦溝（３）に装着圧着保持する場所を指定し、その場所に誘導を指す印しの記号の文字であるが、印す記号の文字、大、中、小のかわりにその他の印す、文字、記号等でも特に限定しない。
（１１）板（１）が磁性体の素材の場合は、通し穴（２）と縦溝（３）からステップル（４）が自然に外れないように磁気、磁力で保持する。
板（１）が金属の素材の場合は、通し穴（２）と縦溝（３）からステップル（４）が自然に外れないように装着圧着保持する大きさでなる方法である。
板（１）が金属の素材の場合は、後から磁気性、磁力性を持たせ、通し穴（２）と縦溝（３）からステップル（４）が自然に外れないように磁気、磁力で保持する。
（１２）板（１）の、素材は、透明又は、半透明か不透明の合成樹脂を使用するが、素材は特に限定されない。
（１３）板（１）は、ステップル（４）が自然に外れないよう装着圧着保持できる弾性ある素材を使用するのが望ましいが素材を限定しない。
（１４）板（１）の通し穴（２）と縦溝は、ステップル（４）が自然に外れないように圧着保持ができる大きさは、許容範囲以内、許容範囲以外は、限定しない。
（１５）板（１）についている通し穴（１）と十字型（７）の通し穴（２）と一部（９）の通し穴（２）の形と大きさは、刃物で切れ目を入れたように、通し穴（２）と十字型（７）と一部（９）の通し穴（２）の通し穴（２）の両側対称が接触する状態から、広げる大きさは特に限定しない。
（１６）板（１）の厚さはステップル（４）の尖った先が板（１）からいくらかはみ出すくらいが望ましいが、はみ出しの長さと、板（１）の厚さは特に限定しない。
（１７）板（１）に設けてある取っ手（５）は、コードを取り付けて固定する場所、部屋の隅、角は特に不便を生じる箇所であるので、取っ手（５）があるため不便を感じる時は、取っ手（５）を設けない図４、図５、図６のように、取っ手（５）の部分を設けなくても特に限定しない。
【発明の効果】
【０００８】  従来、ステップル（４）を打ち付ける時、ステップル（４）が小さすぎて、挟み、つまみ持つと、親指と人差し指の中に半分以上埋もれ隠れてしまい、正常な取り扱いができず、ステップル（４）の頭部をハンマーで何度も打ち損ない、ステップル（４）の頭部とは関係ない手指まで打ったりする欠点に対し不便を感じていた。この問題を解決したのが、本発明のステップルホルダーに、ステップル（４）を装着圧着保持する物と、してある物を使用すると、ハンマーで手指叩いたり、ステップル（４）の打ち込みに敗も無く、ステップル（４）取り扱い作業がいとも簡単に楽に素早く正確に行える。
【図面の簡単な説明】
【０００９】
【図面１】
本発明のステップルホルダー（１）にステップル（４）の装着圧着保持の透視図と斜視図。及び、ステップル（４）を複数の横の列に装着圧着保持する複数の通し穴（２）と一部（９）の通し穴と（２）ステップルホルダー（１）に大、中、小（８）の文字を設けた透視図と斜視図。
【図面２】
本発明のステップルホルダー（１）にステップル（４）を縦の列に装着圧着保持する通し穴（２）と、ステップルホルダー（１）に大、中、小（８）の文字を設けた透視図と斜視図。
【図面３】
本発明のステップルホルダー（１）にステップル（４）を十字型（７）の複数の通し穴（２）を複数の縦の列と複数の横の列に装着圧着保持する透視図と斜視図。及び、ステップルホルダー（１）に大、中、小の文字（８）を設けた透視図と斜視図。
【図面４】
本発明のステップルホルダー（１）にステップル（４）を、複数の横の列に装着圧着保持する複数の通し穴（２）の透視図と斜視図。及び、ステップルホルダー（１）に大、中、小（８）の文字を設けた透視図と斜視図。
【図面５】
本発明のステップルホルダー（１）にステップル（４）を、複数の縦の列に装着圧着保持する複数の通し穴（２）の透視図と斜視図。及び、ステップルホルダー（１）に大、中、小（８）の文字を設けた透視図と斜視図。
【図面６】
本発明のステップルホルダー（１）にステップル（４）を、複数の縦の列と複数の横の列に装着圧着保持する複数の通し穴（２）の透視図と斜視図。及び、ステップルホルダー（１）に大、中、小（８）の文字を設けた透視図と斜視図。
【符号の説明】
１・板
２・通し穴
３・縦溝
４・ステップル
５・取っ手
６・キレ目
７・十字型
８・大、中、小
９・一部
【図１】
2005168273.tif 000003
【図２】
2005168273.tif 000004
【図３】
2005168273.tif 000005
【図４】
2005168273.tif 000006
【図５】
2005168273.tif 000007
【図６】
2005168273.tif 000008